(57)【特許請求の範囲】
【請求項１】
筐体内に収容した上面開口の外槽の内側に上面開口の内槽が垂直軸回りに回転可能に支持され、前記内槽の上面開口の内側周縁部に内方へ突出した弧状または環状のフランジに架け渡される乾燥機能付き洗濯機用ハンガーであって、
前記ハンガーは、両端部が前記内槽の上面開口を直径方向に横切って前記フランジに架け渡される長さを有し上面が幅方向で上方へ湾曲した板状であり、下面に前記ハンガーの略全長に亘って延びた複数のリブが並列に形成され、前記リブ間に前記ハンガーを上下に貫通した通風孔を形成し、前記通風孔は、前記ハンガーの長さ方向に延びた複数の長孔でもって、前記ハンガーの長さ方向に直列で且つ前記ハンガーの幅方向に並列配置されたことを特徴とする洗濯機用ハンガー。 
【請求項２】
前記ハンガーは着脱自在に組み合わされるフック部材を備え、
前記フック部材は、前記並列配置の長孔のうち、中央部の長孔を下方に貫通するフックと、前記中央部の長孔の両側の長孔に上方から挿入される左右の係止片を備えたことを特徴とする請求項１に記載の洗濯機用ハンガー。
【請求項３】
筐体内に収容した上面開口の外槽の内側に上面開口の内槽が垂直軸回りに回転可能に支持され、前記内槽の上面開口の内側周縁部には内方へ突出した弧状または環状のフランジが形成され、
前記内槽の上面開口を直径方向に横切って両端部が前記フランジに着脱自在に架け渡される長さを有するハンガーを備え、
前記ハンガーは、上面が幅方向で上方へ湾曲した板状であり、下面に前記ハンガーの略全長に亘って延びた複数のリブが並列に形成され、前記リブ間に前記ハンガーを上下に貫通した通風孔を形成し、前記通風孔は、前記ハンガーの長さ方向に延びた複数の長孔でもって、前記ハンガーの長さ方向に直列で且つ前記ハンガーの幅方向に並列配置され、
乾燥モードにおいてオゾン発生装置にて生成したオゾンが空気循環用送風機の運転にて前記内槽内へ供給されることにより、前記通風孔を通して前記ハンガーに掛けた洗濯物の除菌・消臭が行なわれる
ことを特徴とする乾燥機能付き洗濯機。
【請求項４】
前記ハンガーは着脱自在に組み合わされるフック部材を備え、
前記フック部材は、前記並列配置の長孔のうち、中央部の長孔を下方に貫通するフックと、前記中央部の長孔の両側の長孔に上方から挿入される左右の係止片を備えたことを特徴とする請求項３に記載の乾燥機能付き洗濯機。
【請求項５】
筐体内に収容した上面開口の外槽の内側に上面開口の内槽が垂直軸回りに回転可能に支持され、前記内槽の上面開口の内側周縁部に内方へ突出した弧状または環状のフランジに架け渡される乾燥機能付き洗濯機用ハンガーであって、
前記ハンガーは、両端部が前記内槽の上面開口を直径方向に横切って前記フランジに架け渡される長さを有する第１部品と、両端部に前記フランジの先端に近接する対向部を形成して前記第１部品の下側に取り付けられる第２部品の組み合わせで構成され、
前記第１部品は、下面に前記ハンガーの略全長に亘って延びた複数のリブが並列に形成され、前記リブ間に前記第１部品を上下に貫通した複数の通風孔を形成し、前記通風孔は、前記ハンガーの長さ方向に延びた複数の長孔でもって、前記第１部品の長さ方向に直列で且つ前記第１部品の幅方向に並列配置され、
前記第２部品は、下面に前記ハンガーの略全長に亘って延びた複数のリブが並列に形成され、前記リブ間に前記第２部品を上下に貫通した複数の通風孔が、前記ハンガーの長さ方向に延びた長孔でもって前記第２部品の長さ方向に直列で且つ前記第１部品の幅方向に並列配置され、
前記第１部品とその下側に結合される前記第２部品との組み合わせにて、前記第１部品と前記第２部品の間に洗濯物を掛ける空間が形成された、
ことを特徴とする洗濯機用ハンガー。
【請求項６】
筐体内に収容した上面開口の外槽の内側に上面開口の内槽が垂直軸回りに回転可能に支持され、前記内槽の上面開口の内側周縁部には内方へ突出した弧状または環状のフランジが形成され、
前記内槽の上面開口を直径方向に横切って両端部が前記フランジに着脱自在に架け渡されるハンガーを備え、
前記ハンガーは、両端部が前記内槽の上面開口を直径方向に横切って前記フランジに架け渡される長さを有する第１部品と、両端部に前記フランジの先端に近接する対向部を形成して前記第１部品の下側に取り付けられる第２部品の組み合わせで構成され、
前記第１部品は、下面に前記ハンガーの略全長に亘って延びた複数のリブが並列に形成され、前記リブ間に前記第１部品を上下に貫通した複数の通風孔を形成し、前記通風孔は、前記ハンガーの長さ方向に延びた複数の長孔でもって、前記第１部品の長さ方向に直列で且つ前記第１部品の幅方向に並列配置され、
前記第２部品は、下面に前記ハンガーの略全長に亘って延びた複数のリブが並列に形成され、前記リブ間に前記第２部品を上下に貫通した複数の通風孔が、前記ハンガーの長さ方向に延びた長孔でもって前記第２部品の長さ方向に直列で且つ前記第１部品の幅方向に並列配置され、
前記第１部品とその下側に結合される前記第２部品との組み合わせにて、前記第１部品と前記第２部品の間に洗濯物を掛ける空間が形成され、
乾燥モードにおいてオゾン発生装置にて生成したオゾンが空気循環用送風機の運転にて前記内槽内へ供給されることにより、前記通風孔を通して前記ハンガーに掛けた洗濯物の除菌・消臭が行なわれる
ことを特徴とする乾燥機能付き洗濯機。
【発明の詳細な説明】
【技術分野】
【０００１】
本発明は、外槽の内側に内槽が垂直軸回りに回転可能に支持され、内槽内で衣類等の洗濯・脱水・乾燥を行なう乾燥機能付き洗濯機に関し、特に、衣類等の乾燥モードにおける乾燥効果の向上を図る技術に関する。
【背景技術】
【０００２】
従来、外槽の内側に内槽が垂直軸回りに回転可能に支持され、内槽内で衣類の洗濯・脱水・乾燥を行なう衣類乾燥機能付き洗濯機において、内槽内に洗濯物を掛けるハンガーが昇降可能且つ内槽と一体回転可能に設置され、洗濯モードでは、洗濯物を掛けたハンガーが昇降しつつ内槽と一体回転し、脱水モードでは、内槽が高速回転してハンガーに掛けた洗濯物から脱水し、乾燥モードでは、温風機構が稼動してハンガーに掛けた洗濯物を乾燥するようにしたものがある。（特許文献１参照）。
【先行技術文献】
【特許文献】
【０００３】
【特許文献１】特開平１０−１２７９７６号公報
【発明の概要】
【発明が解決しようとする課題】
【０００４】
この特許文献１の洗濯機は、ハンガーに洗濯物を掛けた状態で、洗濯・脱水・乾燥の各モードを実行することにより、洗濯物の損傷を軽微とし、皺や型崩れを生じない効果があると記載されている。しかし、常にハンガーに掛けた状態での洗濯機の使用となると、洗濯したい衣類等の種類や大きさによっては、ハンガーに掛け難いものがあり、洗濯する物の種類が制限される問題がある。
【０００５】
また、特許文献１の洗濯機は、ハンガーが内槽内に存在するため、ハンガーから乾燥した洗濯物を取り出す場合の作業がし難いという問題がある。
【０００６】
本発明はこのような点に鑑み、内槽の上面開口部に取り外し自在にハンガーを装着できる構成とし、ハンガーを装着しない状態で洗濯・脱水・乾燥の各モードを実行することもでき、また、乾燥モードを実行する際に、このハンガーを内槽の上面開口部に装着し、このハンガーに衣類等の洗濯物を掛けた状態で乾燥モードを実行することができるように、選択的使用が行なえる構成とするものである。
【０００７】
本発明は、特に、オゾン発生装置を備えた洗濯機において、ハンガーに衣類等の洗濯物を掛けた状態で乾燥モードを実行することにより、オゾンが洗濯物へ満遍なく当たるようにして、洗濯物の除菌・消臭が効果的となる特定構成のハンガーを備えた洗濯機を提供するものである。
【０００８】
本発明は、更に、ハンガーに通風孔を形成した幅広形態とし、この通風孔へフック部材を取り付けることによって、乾燥終了した洗濯物をハンガーに掛けた状態で、任意の場所へハンガーごと吊るすことができるようにするハンガー構成とするものである。
【課題を解決するための手段】
【０００９】
第１発明は、
筐体内に収容した上面開口の外槽の内側に上面開口の内槽が垂直軸回りに回転可能に支持され、前記内槽の上面開口の内側周縁部に内方へ突出した弧状または環状のフランジに架け渡される乾燥機能付き洗濯機用ハンガーであって、
前記ハンガーは、両端部が前記内槽の上面開口を直径方向に横切って前記フランジに架け渡される長さを有し上面が幅方向で上方へ湾曲した板状であり、下面に前記ハンガーの略全長に亘って延びた複数のリブが並列に形成され、前記リブ間に前記ハンガーを上下に貫通した通風孔を形成し、前記通風孔は、前記ハンガーの長さ方向に延びた複数の長孔でもって、前記ハンガーの長さ方向に直列で且つ前記ハンガーの幅方向に並列配置されたことを特徴とする。
【００１０】
第２発明は、第１発明において、
前記ハンガーは着脱自在に組み合わされるフック部材を備え、
前記フック部材は、前記並列配置の長孔のうち、中央部の長孔を下方に貫通するフックと、前記中央部の長孔の両側の長孔に上方から挿入される左右の係止片を備えたことを特徴とする。
【００１１】
第３発明は、
筐体内に収容した上面開口の外槽の内側に上面開口の内槽が垂直軸回りに回転可能に支持され、前記内槽の上面開口の内側周縁部には内方へ突出した弧状または環状のフランジが形成され、
前記内槽の上面開口を直径方向に横切って両端部が前記フランジに着脱自在に架け渡される長さを有するハンガーを備え、
前記ハンガーは、上面が幅方向で上方へ湾曲した板状であり、下面に前記ハンガーの略全長に亘って延びた複数のリブが並列に形成され、前記リブ間に前記ハンガーを上下に貫通した通風孔を形成し、前記通風孔は、前記ハンガーの長さ方向に延びた複数の長孔でもって、前記ハンガーの長さ方向に直列で且つ前記ハンガーの幅方向に並列配置され、
乾燥モードにおいてオゾン発生装置にて生成したオゾンが空気循環用送風機の運転にて前記内槽内へ供給されることにより、前記通風孔を通して前記ハンガーに掛けた洗濯物の除菌・消臭が行なわれる
ことを特徴とする乾燥機能付き洗濯機である。
【００１２】
第４発明は、第３発明において、
前記ハンガーは着脱自在に組み合わされるフック部材を備え、
前記フック部材は、前記並列配置の長孔のうち、中央部の長孔を下方に貫通するフックと、前記中央部の長孔の両側の長孔に上方から挿入される左右の係止片を備えたことを特徴とする。
【００１３】
第５発明は、
筐体内に収容した上面開口の外槽の内側に上面開口の内槽が垂直軸回りに回転可能に支持され、前記内槽の上面開口の内側周縁部に内方へ突出した弧状または環状のフランジに架け渡される乾燥機能付き洗濯機用ハンガーであって、
前記ハンガーは、両端部が前記内槽の上面開口を直径方向に横切って前記フランジに架け渡される長さを有する第１部品と、両端部に前記フランジの先端に近接する対向部を形成して前記第１部品の下側に取り付けられる第２部品の組み合わせで構成され、
前記第１部品は、下面に前記ハンガーの略全長に亘って延びた複数のリブが並列に形成され、前記リブ間に前記第１部品を上下に貫通した複数の通風孔を形成し、前記通風孔は、前記ハンガーの長さ方向に延びた複数の長孔でもって、前記第１部品の長さ方向に直列で且つ前記第１部品の幅方向に並列配置され、
前記第２部品は、下面に前記ハンガーの略全長に亘って延びた複数のリブが並列に形成され、前記リブ間に前記第２部品を上下に貫通した複数の通風孔が、前記ハンガーの長さ方向に延びた長孔でもって前記第２部品の長さ方向に直列で且つ前記第１部品の幅方向に並列配置され、
前記第１部品とその下側に結合される前記第２部品との組み合わせにて、前記第１部品と前記第２部品の間に洗濯物を掛ける空間が形成された、
ことを特徴とする。
【００１４】
第６発明は、
筐体内に収容した上面開口の外槽の内側に上面開口の内槽が垂直軸回りに回転可能に支持され、前記内槽の上面開口の内側周縁部には内方へ突出した弧状または環状のフランジが形成され、
前記内槽の上面開口を直径方向に横切って両端部が前記フランジに着脱自在に架け渡されるハンガーを備え、
前記ハンガーは、両端部が前記内槽の上面開口を直径方向に横切って前記フランジに架け渡される長さを有する第１部品と、両端部に前記フランジの先端に近接する対向部を形成して前記第１部品の下側に取り付けられる第２部品の組み合わせで構成され、
前記第１部品は、下面に前記ハンガーの略全長に亘って延びた複数のリブが並列に形成され、前記リブ間に前記第１部品を上下に貫通した複数の通風孔を形成し、前記通風孔は、前記ハンガーの長さ方向に延びた複数の長孔でもって、前記第１部品の長さ方向に直列で且つ前記第１部品の幅方向に並列配置され、
前記第２部品は、下面に前記ハンガーの略全長に亘って延びた複数のリブが並列に形成され、前記リブ間に前記第２部品を上下に貫通した複数の通風孔が、前記ハンガーの長さ方向に延びた長孔でもって前記第２部品の長さ方向に直列で且つ前記第１部品の幅方向に並列配置され、
前記第１部品とその下側に結合される前記第２部品との組み合わせにて、前記第１部品と前記第２部品の間に洗濯物を掛ける空間が形成され、
乾燥モードにおいてオゾン発生装置にて生成したオゾンが空気循環用送風機の運転にて前記内槽内へ供給されることにより、前記通風孔を通して前記ハンガーに掛けた洗濯物の除菌・消臭が行なわれる
ことを特徴とする乾燥機能付き洗濯機である。
【発明の効果】
【００１８】
本発明では、内槽の上面開口部に取り外し自在にハンガーを装着できる構成であり、ハンガーを装着しない状態で洗濯・脱水・乾燥の各モードを実行することもでき、また、乾燥モードを実行する際に、このハンガーを内槽の上面開口部に装着し、このハンガーに衣類等の洗濯物を掛けた状態で乾燥モードを実行することができるため、選択的使用が行なえる。
【００１９】
また、ハンガーは複数の通風孔を有する幅広の形態となるため、ハンガーに掛けた洗濯物の垂れ下がり部分間に十分な間隔ができることとなり、オゾン発生装置を備えた洗濯機の乾燥モードを実行する際に、オゾンを含む空気は、前記間隔へ循環すると共に、洗濯物のハンガーに掛かった部分にも前記通風孔を通して循環するため、洗濯物へ満遍なく当たるようになり、洗濯物の乾燥は勿論のこと、除菌・消臭も効果的となる。
【００２０】
更に、ハンガーに形成した通風孔へフック部材を取り付けることによって、乾燥終了した洗濯物をハンガーに掛けた状態で、任意の場所へハンガーごと吊るすことができる。
【図面の簡単な説明】
【００２１】
【図１】本発明に係る洗濯乾燥機の蓋を開いた状態を示す斜視図である。
【図２】本発明に係る洗濯乾燥機の内部構成の概略を説明する縦断側面図である。
【図３】本発明に係る送風給水ユニットの機能を説明するための洗濯乾燥機の水路及び風路を中心とする構成を図解的に示す図である。
【図４】本発明に係る送風給水ユニットを組み込んだ正面側から見た洗濯乾燥機の内部構成を説明する図である。
【図５】本発明に係る第１のハンガーを内槽のフランジに取り付けた状態を説明する斜視図である。
【図６】本発明に係る第１のハンガーを内槽のフランジに取り付けた状態を説明する一部断面図である。
【図７】本発明に係る第１のハンガーを内槽のフランジに取り付けた状態を説明する一部断面図である。
【図８】本発明に係る第１のハンガーの上面図である。
【図９】本発明に係る第１のハンガーの裏面斜視図である。
【図１０】本発明に係るフック部材の斜視図である。
【図１１】本発明に係るフック部材を２個取り付けた状態の第１のハンガーの斜視図である。
【図１２】本発明に係るフック部材を中央部に取り付けた状態の第１のハンガーの裏面斜視図である。
【図１３】本発明に係る第２のハンガー７０の側面図である。
【図１４】本発明に係る第２のハンガー７０を構成する第１部品７０ａの上面図である。
【図１５】本発明に係る第２のハンガー７０を構成する第１部品７０ａの裏面斜視図である。
【図１６】本発明に係る第２のハンガー７０を構成する第２部品７０ｂの上面図である。
【図１７】本発明に係る第２のハンガー７０を構成する第２部品７０ｂの裏面斜視図である。
【図１８】本発明に係る第２のハンガー７０にフック部材７６を引っ掛けた図である。
【図１９】本発明に係る第１部品７０ａの中央部の通風孔７３にフック部材７６を引っ掛けた図である。
【発明を実施するための形態】
【００２２】
本発明は、筐体内に収容した上面開口の外槽の内側に上面開口の内槽が垂直軸回りに回転可能に支持され、前記内槽内で洗濯物の洗濯・脱水・乾燥を行なう乾燥機能付き洗濯機において、
前記内槽内の洗濯物の除菌消臭のためのオゾンを生成するオゾン発生装置と、
前記内槽の上面開口の内側周縁部に内方へ突出した半円以上に亘る弧状または環状のフランジと、
前記内槽の上面開口の中央部を横切って前記フランジに両端部が載置されるハンガーを備え、
前記乾燥モードでは、前記オゾン発生装置にて生成したオゾンが空気循環用送風機の運転にて前記内槽内へ供給されることにより、前記ハンガーに掛けた洗濯物の除菌・消臭が行なわれる構成である。
【実施例１】
【００２３】
以下、本発明に係る洗濯・脱水・乾燥を行なう乾燥機能付き洗濯機（以下、洗濯乾燥機１という）に基づき、本発明の実施例を図に基づき説明する。
【００２４】
図１及び図２において、洗濯乾燥機１は、筐体２内に洗濯水槽３が上面開口の縦型の回転ドラム５を備えた回転ドラム式の洗濯機である。筐体２内に縦型に配置された洗濯水槽３を備え、洗濯水槽３には、洗濯時に水を溜めるための回転しない上面開口の外槽４と、外槽４内に回転自在に収容された内槽５（以下、ドラム５という）とが含まれている。ドラム５内の底面には、ドラム５内の水と衣類を攪拌する攪拌翼１４が配置されている。ドラム５は、その周側面に外槽４に溜めた水が流通する多数の通水孔５Ａが穿設されており、攪拌翼１４とドラム５は、外槽４の下方に備えられたモータ６で回転する垂直方向の回転軸７によって垂直軸回りに回転されるが、攪拌翼１４とドラム５が同時に回転する状態と、攪拌翼１４のみ回転する状態とに、クラッチ機構４０によって切り替え制御される。
【００２５】
外槽４の上面開口の出入口９は、出入口９の周縁部に気密状態に取り付けたカバー板１１と、このカバー板１１に開閉可能に取り付けた内蓋１２とで密閉される。このため、カバー板１１と内蓋１２によって、ドラム５の上面開口の出入口８も開閉される構成となっている。内蓋１２は、外側領域が不透明材で構成され、その内側領域が透明板１２Ａで構成されていて、閉じた状態でもドラム５内を透視できるようになっている。また、筐体２の上面開口１３は、筐体２の上面部に開閉可能に取り付けた外蓋１０で開閉される。カバー板１１と内蓋１２との当接部分は、内蓋１２の周縁部に取り付けたパッキンで密閉される構成であり、それによって内蓋１２を閉じた状態で、外槽４内は密閉状態となる。外蓋１０を開き、且つ内蓋１２を開いた状態は、図１に示しており、この状態で、ドラム５と外槽４の上面開口の出入口８及び９を通って、ドラム５内への衣類（洗濯物）の出し入れがされる。洗濯水槽３は振動を吸収するサスペンションＳＰによって複数個所で筐体２に吊り下げ支持されている。
【００２６】
筐体２の上面前部には、操作・表示部１３が配置されている。操作・表示部１３には、複数の操作キー及び表示器が配列されており、操作キーを操作することで洗濯乾燥機１の運転を制御でき、表示器には洗濯乾燥機１の運転状況が表示される。
【００２７】
筐体２内の上方後部には、後述する本発明に係る送風給水ユニット１５が収容配置されている。洗濯乾燥機１の洗濯工程では、上水道水管に連通接続された後述の給水バルブ２３が開き、上水道水管から供給される水道水が洗濯水槽３の外槽４内に溜められる。その際、水が後述の洗剤容器２５を通過して洗濯水槽３に至るようにすれば、洗剤が解けた水を洗濯水槽３の外槽４内に溜めることができる。洗濯工程ではモータ６によりドラム５は回転せず攪拌翼１４の回転によってドラム５内の衣類が洗濯され、排水バルブ３３を開いて洗濯水槽３の水が、排水管３４から排水された後、モータ６によりドラム５と攪拌翼１４が同時回転して衣類の脱水を行う。この脱水の後、すすぎ運転を行う。すすぎ運転は、再び給水バルブ２３を開いて水道水を洗濯水槽３の外槽４内に溜め、モータ６によりドラム５は回転せず攪拌翼１４の回転によってこの水によって衣類のすすぎを行った後、排水バルブ３３を開いて洗濯水槽３のすすぎ水が排水管３４から排水され、モータ６によりドラム５と攪拌翼１４が同時回転して衣類の脱水を行う。このすすぎ運転は、複数回繰り返した後、洗濯・脱水・すすぎ運転を終える。
【００２８】
このように洗濯・脱水・すすぎ運転を終えた後、乾燥運転（乾燥工程と称することもできる）が行われる。この乾燥運転では、後述のオゾン発生装置１８が作動して洗濯物の乾燥と共に、除菌・消臭を行なう。以下、図３に基づき送風給水ユニット１５による送風と給水の動作を説明する。
【００２９】
筐体２内の上方後部には、送風ユニット１６と、給水ユニット１７と、オゾン発生装置１８（以下、オゾン発生器１８という）とを含む送風給水ユニット１５が収容配置されている。
【００３０】
送風ユニット１６は、後述する乾燥工程において回転駆動される電動機１９Ａと回転翼１９Ｂからなるブロア１９（浄化用空気消滅手段及び送風手段）と、乾燥用フィルタ２０と、ブロア１９により洗濯水槽３内へ循環される空気を加熱する（換言すれば洗濯水槽３内の空気を加熱する）ためのヒータ２１（加熱手段）を備えており、乾燥工程において乾燥風路２２（循環風路）内で空気を循環させる。乾燥用フィルタ２０は、ブロア１９により乾燥風路２２を循環される空気中に含まれるリント等の異物を捕獲するためのものである。ヒータ２１は、小型化のために半導体ヒータ（抵抗温度特性が正特性のダイオード）が採用されている。
【００３１】
給水ユニット１７は、水道水管に接続した管路を手動で開閉する水栓（図示せず）を通して供給される水を水路へ供給するのを制御するための給水バルブ２３と、注水口ユニット２４を備えている。洗濯工程では、給水バルブ２３が制御されて、前記水栓から供給される水道水が、注水口ユニット２４内の洗剤容器２５を通り、給水路２９から洗濯水槽３（具体的には外槽４内）へと供給される。水が洗剤容器２５を通過して洗濯水槽３内に至るようにすれば、洗剤が解けた水を洗濯水槽３に溜めることができる。一方、風呂水ポンプ２６が駆動されると、浴槽の残り湯が風呂水ホース２７を介して汲み上げられて水路２８から注水口ユニット２４へ流入し、洗剤容器２５の洗剤収容室を通り、給水路２９から洗濯水槽３（具体的には外槽４内）へと供給される。このように、給水路２９によって、洗濯水槽３への給水が行われる。
【００３２】
水路２８の途中にはベンチュリー管３０が介在されていて、ベンチュリー管３０（気液混合器またはエゼクタともいう）において、水路２８を流れる水にオゾン発生器１８で発生するオゾンが混入されるように、ベンチュリー管３０の空気流入口３０Ａは、エアーチューブ３１を介してオゾン発生器１８へ接続されている。流入原理は、ベンチュリー管３０内を流れる水により生じる圧力差（負圧）によって、エアーチューブ３１を介してオゾンを含む空気（浄化用空気）が吸引され、ベンチュリー管３０内を流れる水にオゾンが混入される。
【００３３】
このような給水によって洗濯水槽３に所定量の水が溜められた状態で、洗濯工程ではモータ６により攪拌翼１４が回転し、ドラム５内に入れられた衣類などの洗濯物が洗濯される。この際、上記のように水にオゾンが混入されると、オゾンの強力な酸化、殺菌作用により水が浄化される。このため、洗濯水槽３内の水は、洗濯工程において攪拌翼１４によって攪拌され、オゾンが混入された浄化された水によって洗濯物が洗濯され、除菌・消臭がされる。すすぎ工程でも同様にオゾンが混入された浄化された水によって洗濯物のすすぎを行うことができる。
【００３４】
乾燥工程では、洗濯水槽３内の後面下方から空気が吸い出されて乾燥風路２２を通って上方へ導かれ、乾燥用フィルタ２０で異物が濾過されて洗濯水槽３の上部から洗濯水槽３内へ流入するように循環される。乾燥風路２２内を空気が循環する際に、高温多湿の空気は水と熱交換されることによって冷却除湿される。そのため、乾燥風路２２内には後述のように、水路３２から水が供給される。
【００３５】
次に、図３を参照して、洗濯乾燥機１の水路及び風路を中心とする全体構成について、より詳細に説明をする。
【００３６】
先ず、図３に基づき、洗濯乾燥機１の水路及び風路の構成について説明する。図３は、洗濯乾燥機１の水路および風路を中心とする構成を図解的に示す図である。給水バルブ２３には３つの出口があり、いずれの出口から水を出すかを切換えることができる。給水バルブ２３の第１出口２３Ａは注水口ユニット２４に接続されている。注水口ユニット２４内には、第１出口２３Ａから供給される水を給水路２９へと導く水路と、呼び水水路３５へと導く水路とに分ける岐水路が含まれている。前記水栓が開かれた状態で、開いた給水バルブ２３の第１出口２３Ａから注水口ユニット２４へ供給される水は、風呂水ポンプ２６が稼動したときは、主として呼び水水路３５を通って風呂水ポンプ２６を経由し、水路２８から注水口ユニット２４へ流入し、洗剤容器２５の洗剤収容室を通り、給水路２９から洗濯水槽３へと流入する。また、風呂水ポンプ２６が稼動しないときは、注水口ユニット２４へ供給される水は、洗剤容器２５の洗剤収容室を通り、給水路２９から洗濯水槽３へと流入する。給水バルブ２３の第２出口２３Ｂも注水口ユニット２４に接続されており、第２出口２３Ｂを開いたときに第２出口２３Ｂから供給される水は、洗剤容器２５内に区画された柔軟剤収容室（ソフナー容器）を通って給水路２９から洗濯水槽３へと流れ込むようにされている。
【００３７】
このように、給水路２９によって、洗濯水槽３への給水が行われる。
【００３８】
給水バルブ２３の第３出口２３Ｃは、水路３２によって後述の乾燥風路２２の所定位置に接続されている。第３出口２３Ｃは相対的に小径の出口であり、第３出口２３Ｃが開かれると、相対的に少量の水が水路３２を経由して乾燥風路２２に供給される。この水は、乾燥風路２２内で高温多湿の循環空気と接触され熱交換に寄与し、循環空気の温度を低下させると共に除湿する。除湿によって生じる水滴は、排水管３６から排水管３４へ排水される。洗濯水槽３の底面最下部（より具体的には外槽４の底面最下部）の排水口には排水バルブ３３を介して排水管３４が接続されている。
【００３９】
水路３２の途中にベンチュリー管３７が介在されていて、ベンチュリー管３７（気液混合器またはエゼクタともいう）において、水路３２を流れる水にオゾン発生器１８で発生するオゾンが混入されるように、ベンチュリー管３７の空気流入口３７Ａは、エアーチューブ３８を介してオゾン発生器１８へ接続されている。上記ベンチュリー管３０と同様の流入原理によって、エアーチューブ３８を介してオゾンを含む空気（浄化用空気）が吸引され、ベンチュリー管３７内を流れる水にオゾンが混入される。
【００４０】
後述のように、洗濯乾燥機１では、衣類の乾燥工程に伴ってエアウォッシュを行なうために、排水管３４に排水トラップ部３９を設けている。この排水トラップ部３９は、排水の流通は確保するが、その排水の一部が溜まることによって、排水管３４を通る空気流通が遮断される構成である。
【００４１】
洗濯工程（洗い工程及びすすぎ工程）において、排水バルブ３３を閉じて上記の給水によって洗濯水槽３（具体的には外槽４内）に一定量の水が溜められる。洗濯工程ではモータ６によりドラム５は回転せず攪拌翼１４の回転によってドラム５内の衣類が洗濯され、排水バルブ３３を開いて洗濯水槽３の水が排水管３４から排水された後、モータ６によりドラム５と攪拌翼１４が同時回転して、衣類の脱水を行う。この脱水の後、すすぎ運転を行う。すすぎ運転は、再び排水バルブ３３を閉じて、上記同様の給水によって洗濯水槽３に一定量の水を溜め、モータ６によりドラム５は回転せず攪拌翼１４が回転して、この水によって衣類のすすぎを行った後、排水バルブ３３を開いて洗濯水槽３のすすぎ水が排水管３４から排水され、その後、モータ６によりドラム５と攪拌翼１４が同時回転して衣類の脱水を行う。
【００４２】
洗濯乾燥機１には、このすすぎ運転を複数回行なった後、乾燥機能（乾燥工程）を行うために、前記の乾燥風路２２が備えられている。乾燥風路２２は、洗濯水槽３（外槽４）の外側に配置され、外槽４の下方部から洗濯水槽３内の高温多湿の空気を吸い出し、その空気を外槽４の上方部から洗濯水槽３内へ流入させるように空気を循環させるための風路である。乾燥風路２２には、接続パイプ４１、送風ユニット１６及び接続パイプ４２が含まれている。つまり、乾燥風路２２の一端（接続パイプ４１の下端）が洗濯水槽３（外槽４）の下部に接続され、図２に示すように、乾燥風路２２の他端（接続パイプ４２）が洗濯水槽３（外槽４）の上部にカバー板１１を気密に貫通して接続されている。そして、ブロア１９が回転駆動されると、洗濯水槽３内の空気が乾燥風路２２と洗濯水槽３との間で循環する。換言すれば、ブロア１９が、洗濯水槽３内の空気を乾燥風路２２を用いて循環させる。
【００４３】
乾燥風路２２において、送風ユニット１６から接続パイプ４２へ繋がる風路内には、ヒータ２１が備えられており、循環される空気が加熱される。図３を参照して、乾燥風路２２内では、洗濯水槽３から吸い出された高温多湿の空気が、水路３２を経由して乾燥風路２２に供給される少量の水と熱交換して除湿される。そして、乾燥風路２２内を下方へ流れ落ちた水は、排水管３６を通り排水管３４へ排出される。
【００４４】
乾燥工程において除菌モードを実行するために、送風ユニット１６には、エアーチューブ４３を介してオゾン発生器１８が接続されている。このため、乾燥工程において、オゾン発生器１８が作動される除菌モードにおいて、オゾン発生器１８が発生するオゾンを含む浄化用空気は、乾燥用フィルタ２０を介して送風ユニット１６内へ吸い込まれ、洗濯水槽３へ循環される空気にオゾンを含む空気を混入することができる。この場合、オゾン及びオゾンを含む空気のいずれもが浄化用空気とされる。この浄化用空気によって、乾燥する衣類の消臭や除菌（エアウォッシュ）を行うことができる。なお、このエアウォッシュに関して、浄化用空気（エア）によって、衣類が恰もエアで洗われ、除菌・消臭されるかの如くであるから、本願の出願人は、浄化用空気を用いて行う衣類の除菌・消臭をエアウォッシュと称している。そして、送風ユニット１６、エアーチューブ４３及びオゾン発生器１８は、洗濯水槽３へ浄化用空気を供給するための浄化用空気供給手段として機能する。
【００４５】
また、乾燥工程において、洗濯水槽３から吸い出された高温多湿の空気を乾燥風路２２内で除湿するために、水路３２から供給される水も、上記のようにオゾンによって浄化されるため、洗濯水槽３内へ循環する空気は浄化された空気となり、洗濯物の消臭や除菌が良好となる。
【００４６】
外槽４の上面開口の出入口９は、内蓋１２で密閉され、排水管３４は排水トラップ部３９にて空気流通が遮断され、給水路２９には図示しない給水トラップにて空気流通が遮断される。このため、乾燥工程において、洗濯水槽３へ循環する空気中のオゾンが外部へ漏洩することはない。
【００４７】
乾燥工程において、モータ６によりドラム５と攪拌翼１４を、１分間に１０回転のように低速で同時回転することにより、衣類の乾燥及び除菌・消臭を促進することができる。
【００４８】
本発明は、上記のように、内槽５内の洗濯物の除菌消臭のためのオゾンを生成するオゾン発生装置１８を備え、内槽５内で洗濯物の洗濯・脱水・乾燥を行なう洗濯乾燥機１において、洗濯物の乾燥を効果的に行なうハンガー装置を設けている。以下、この構成について説明する。
「第１のハンガー５０（１部品による構成）」
本発明に係る洗濯乾燥機１は、ドラム５（内槽５）の上面開口８の内側周縁部に内方へ突出した半円以上に亘る弧状または環状のフランジ４４を形成し、内槽５の上面開口８を直径方向に横切って両端部５１がフランジ４４の対向部に架け渡される第１のハンガー５０を備えている。第１のハンガー５０はフランジ４４に着脱自在に載置される状態である。
【００４９】
フランジ４４の形成の仕方はいろいろあるが、本発明のドラム５が回転する洗濯乾燥機１にあっては、ドラム５の回転バランスを取るために、ドラム５の上面開口８にバランス用リング５２が取り付けられている。このバランス用リング５２は、内部にバランス用の液体を密封する中空部を形成するために、上下環状部材５２Ａ、５２Ｂの溶着接合にて構成される。この溶着接合を良好にするために、上下環状部材５２Ａ、５２Ｂの接合部に、フランジ４４が形成される。このフランジ４４に第１のハンガー５０を架け渡す。このフランジ４４は環状である場合が殆どであるが、バランス用リング５２の一部分に柔軟剤などを入れる部分を一体成形する場合には、このフランジ４４は環状の途中が切れた半円以上の円弧状となる。
【００５０】
図２に示すように、外槽４の上面開口９は内蓋１２によって密閉されるため、ドラム５の上面開口８が外槽４の上面開口９よりも低い位置となる配置であり、第１のハンガー５０は、その両端部５１がフランジ４４に載置された状態において、ドラム５の上面開口８の上面よりも下方位置となる形状、即ち、バランス用リング５２の上面５２Ｐよりも下方位置となる形状である。これによって、ドラム５が乾燥工程において回転しても、第１のハンガー５０が内蓋１２に当接しない状態であり、且つ第１のハンガー５０へ掛けた洗濯物６０が内蓋１２に当接しない状態を保つことができる。
【００５１】
具体的には、第１のハンガー５０の両端部５１は、図６等に示すように、第１のハンガー５０がドラム５の上面開口８を直径方向に横切ってフランジ４４に載置された状態で安定するようにするために、フランジ４４に載置される載置端部５１Ａと、その下方にフランジ４４の先端に近接する対向部５１Ｂを形成している。これによって、第１のハンガー５０がドラム５の上面開口８を直径方向に横切って取り付けられ、第１のハンガー５０の載置端部５１Ａがフランジ４４に架け渡された状態において、第１のハンガー５０の両端部５１は、ドラム５の上面開口８の上面５２Ｐよりも下方位置となる厚さである。第１のハンガー５０の下面には、補強のために第１のハンガー５０の略全長に亘って延びた複数のリブ５４Ａが並列に形成され、リブ５４Ａ相互間に第１のハンガー５０を上下に貫通した複数の通風孔５３を形成している。このリブ５４Ａの端部によって、対向部５１Ｂを形成している。
【００５２】
通風孔５３は、図８等に示すように、第１のハンガー５０の長さ方向に延びた複数の長孔形状であり、第１のハンガー５０の長さ方向に直列で且つ第１のハンガー５０の幅方向に並列配置された構成である。なお、通風孔５３を避けてリブ５４Ａ相互に亘る交差リブ５４Ｂによって、更に強度が増している。
【００５３】
第１のハンガー５０の全体形状は、図５、図６等に示すように、長さ方向の左右両端部５１から中央部へ向かって下方へ湾曲すると共に、図２、図７等に示すように、上面５０Ｐが幅方向で上方へ湾曲した所定幅を有する板状である。これによって、乾燥工程において内槽５が回転しても、その遠心力によって洗濯物６０がずれ落ちることなく保持できる。この保持を更に安定化するために、第１のハンガー５０の上面５０Ｐには、幅方向の両端部付近に長さ方向に間隔を存して滑り止め部６１として突起６１を配列している。この突起６１の上面には、洗濯物６０のずれ落ち防止のためにシボ加工が施されている。滑り止め部６１は、第１のハンガー５０の長さ方向に延びた帯状突起であってもよい。
【００５４】
この第１のハンガー５０は、上記乾燥工程において使用するために、ドラム５の上面開口８を直径方向に渡ってフランジ４４に掛け渡される。この第１のハンガー５０に図１及び図７等に示すように、脱水した洗濯物６０を掛ける。洗濯物６０は背広の上着のような嵩張るものでも、乾燥と除菌・消臭が効果的に行なえるようにするために、第１のハンガー５０に掛けた状態で、洗濯物６０の左右が垂れ下がる部分６０Ａ、６０Ｂ相互間に空気流通が良好となる間隔Ｔが得られるように、第１のハンガー５０は幅広である。この幅広形状によって、複数の通風孔５３が並列配置できる構成となる。
【００５５】
上記のように、乾燥工程において除菌モードを実行するために、オゾン発生器１８が作動され、送風ユニット１６によって、洗濯水槽３内の空気を乾燥風路２２を用いて循環させ、ドラム５内で第１のハンガー５０に掛けた洗濯物の乾燥及び除菌・消臭を行なう。この場合、モータ６によりドラム５と攪拌翼１４を、１分間に１０回転のように低速で同時回転することにより、衣類の乾燥及び除菌・消臭を促進することができる。また、この乾燥工程の運転時間が、短い場合、例えば８分間であれば消臭運転となり、長い場合、例えば１５分であれば除菌運転となる。
【００５６】
また、洗濯物６０の左右が垂れ下がる部分６０Ａ、６０Ｂ間に形成される間隔Ｔへ循環する空気は、複数の通風孔５３を通して第１のハンガー５０に掛かった洗濯物６０の部分にも接触するため、この部分に乾燥と、除菌・消臭も行なえる状態となる。
【００５７】
第１のハンガー５０は、着脱自在に組み合わされるフック部材５５を備え、フック部材５５は、第１のハンガー５０の幅方向で並列配置の長孔通風孔５３（図示のものは３列の通風孔５３）のうち、中央部の通風孔５３を下方に貫通するフック５６と、中央部の通風孔５３の両側の通風孔５３に上方から挿入される左右の係止片５７を備えた基部５８で構成している。
【００５８】
図１１及び図１２に示すように、フック部材５５を取り付けた第１のハンガー５０のフック５６を下側にして、乾燥しようとする衣類をこのフック５６に吊るした状態で、第１のハンガー５０をフランジ４４に載置して、上記のような乾燥工程を実行することができる。
【００５９】
また、フック部材５５を取り付けない状態の第１のハンガー５０をフランジ４４に載置して、上記のような乾燥工程を実行し、乾燥が終わったとき、第１のハンガー５０と共に洗濯物６０を取り出すこともできる。洗濯物６０のうち背広の上着などは、第１のハンガー５０に掛けて任意の場所へ吊るすことができる。その場合は、第１のハンガー５０の中央部において、並列配置の長孔通風孔５３のうち、フック５６を中央部の通風孔５３を上面側から下面側に貫通させ、その両側の通風孔５３に左右の係止片５７を上面側から挿入することにより、図１２に示すように、フック部材５５を第１のハンガー５０の中央部に取り付けた状態となる。この状態でフック５６を上側にすれば、図１２に示すように、第１のハンガー５０は裏返し状態となるが、中央部から左右下方に湾曲した状態となり、この第１のハンガー５０へ乾燥した背広の上着などを掛けることにより、背広の上着などの吊り下げに適した状態となる。
【００６０】
フック部材５５は、フック５６への衣類の吊り下げのし易さや、上記のように第１のハンガー５０へ乾燥した背広の上着などを掛けて吊り下げることをし易くするために、左右の係止片５７間の中間に位置するように基部５８の中央部から下方へ延びた支持部５９に、フック５６を左右の係止片５７側へ回動するように支持している。なお、このフック５６を支持部５９に着脱可能に取り付けた構成とすれば、フック部材５５を合成樹脂の成形によって構成することに適する。
【００６１】
本発明は、上記のように、ドラム５の上面開口部に取り外し自在に第１のハンガー５０を装着できる構成であり、第１のハンガー５０を装着しない状態で洗濯・脱水・乾燥の各モードを実行することもでき、また、乾燥モードを実行する際に、この第１のハンガー５０をドラム５の上面開口部に装着し、この第１のハンガー５０に衣類等の洗濯物６０を掛けた状態で乾燥モードを実行することができるため、選択的使用が行なえ便利である。
【００６２】
また、第１のハンガー５は複数の通風孔５３を有する幅広の形態となるため、第１のハンガー５０に掛けた洗濯物６０の垂れ下がり部分６０Ａ、６０Ｂ間に十分な間隔Ｔができることとなり、オゾン発生装置１８を備えた洗濯機１の乾燥モードを実行する際に、オゾンを含む空気は、前記間隔Ｔへ循環すると共に、洗濯物６０の第１のハンガー５０に掛かった部分にも通風孔５３を通して循環するため、洗濯物６０へオゾンを含む空気が満遍なく当たるようになり、洗濯物６０の乾燥は勿論のこと、除菌・消臭も効果的となる。
【００６３】
更に、第１のハンガー５０に形成した通風孔５３へフック部材５５を取り付けることによって、乾燥終了した洗濯物６０を第１のハンガー５０に掛けた状態で、任意の場所へ第１のハンガー５０ごと吊るすことができる。
「第２のハンガー７０（２部品による構成、一体化）」
第２のハンガー７０は、基本的に第１のハンガー５０と機能的に同じであるが、第２のハンガー７０が、第１のハンガー５０と大きく異なる点は、２部品によって構成されていることである。
図１３は、本発明に係る第２のハンガー７０の側面図である。第２のハンガー７０は、第１部品７０ａと第２部品７０ｂから構成されており、第１部品７０ａは、端部から中央部へ向かって緩やかに湾曲する、上方に凸状の部品であり、また第２部品７０ｂは、略コ字の形状の部品である。そして、それらの両端部を（後述する）２本づつのネジ（ビス）で締着することによって一体化している。更に、双方の部品７０ａ、７０ｂ共に、強度アップのためにタルク２０％を含有するポリプロピレンから構成している。
【００６４】
第１のハンガー５０と同様に、第２のハンガー７０の両端部７１は、
図１３等に示すように、第２のハンガー７０がドラム５の上面開口８を直径方向に横切ってフランジ４４に載置された状態で安定するようにするために、フランジ４４に載置される載置端部７１Ａと、その下方にフランジ４４の先端に近接する対向部７１Ｂを形成している。これによって、第２のハンガー７０がドラム５の上面開口８を直径方向に横切って取り付けられ、第２のハンガー７０の載置端部７１Ａがフランジ４４に架け渡された状態において、第２のハンガー７０の両端部７１間の中央部（湾曲している頂点）は、ドラム５の上面開口８の上面５２Ｐよりも上方に位置するが、内蓋１２より下方位置となっているため、外槽４内は密閉状態となり、オゾンが外槽４の外部に漏れることはない。
【００６５】
図１４は、第２のハンガー７０を構成する第１部品７０ａの上面図であり、通風孔７３は、第１部品７０ａの長さ方向に延びた複数の長孔形状であり、第１部品７０ａの長さ方向に直列で且つ幅方向に並列配置された構成である。
【００６６】
また、図１５は、第１部品７０ａの裏面斜視図であり、第１部品７０ａの下面には、補強のために第１部品７０ａの略全長に亘って延びた複数のリブ７４Ａが並列に形成され、リブ７４Ａ相互間に第１部品７０ａを上下に貫通した複数の通風孔７３を形成している。更に、リブ７４Ａと直交し、通風孔７３を避けてリブ７４Ａ相互に亘る交差リブ７４Ｂを設けることによって更に強度が増している。
【００６７】
第１部品７０ａの端部には、後述する第２部品７０ｂと一体化して、第２のハンガー７０を構成するためのビス孔７５が２個づつ設けられている。
【００６８】
図１６は、第２のハンガー７０を構成する第２部品７０ｂの上面図であり、通風孔７３は、第２部品７０ｂの長さ方向に延びた複数の長孔形状であり、第２部品７０ｂの長さ方向に直列で且つ幅方向に並列配置された構成である。
また、図１７は、第２部品７０ｂの裏面斜視図であり、第２部品７０ｂの下面には、補強のために第２部品７０ｂの略全長に亘って延びた複数のリブ７４Ａが並列に形成され、リブ７４Ａ相互間に第２部品７０ｂを上下に貫通した複数の通風孔７３を形成している。更に、リブ７４Ａと直交し、通風孔７３を避けてリブ７４Ａ相互に亘る交差リブ７４Ｂを設けることによって更に強度が増している。
【００６９】
第２部品７０ｂの端部には、第１部品７０ａと一体化して、第２のハンガー７０を構成するためのビス孔７５が２個づつ設けられている。
【００７０】
図１８は、第１部品７０ａ、及び第２部品７０ｂをビスにより一体化した第２のハンガー７０の第２部品７０ｂの２つの通風孔７３に跨ってＳ字状のフック部材７６を引っ掛けたものである。これにより、第２のハンガー７０がフランジ４４に架け渡された状態で、そのフック部材７６に洗濯物６０（図示せず）を掛けることができる。フック部材７６が無くても洗濯物を掛けることができる場合には、図１３の第２のハンガー７０の第１部品７０ａと第２部品７０ｂとの間に洗濯物を掛けることによって吊り下げる。
【００７１】
乾燥が終わった後、図１９に示すように、第１部品７０ａの中央部の通風孔７３にフック部材７６を引っ掛けることによって、背広等の上着などは、第２のハンガー７０に掛けて任意の場所へ吊るすことがことができる。
「第３のハンガー（２部品による構成、回動可能）」
第３のハンガーは、基本的に第２のハンガー７０と機能的に同じであるが、第３のハンガーが、第２のハンガー７０と大きく異なる点は、第２のハンガー７０の一方の端部に回動部材を設けることによって回動できるように構成したことである。
具体的には、第２のハンガー７０の一方の端部、たとえば、第１部品７０ａの端部に凸状の部材を設け、一方、第２部品７０ｂにその凸状の部材が嵌合する凹状を形成することによって、その部分を支点（中心）にして回動することができる。
【００７２】
一方、第２のハンガー７０の他方の端部には、たとえば、第１部品７０ａの端部に凸状の部材（かぎ部）を設け、一方、第２部品７０ｂにその凸状の部材が嵌合する凹状を形成することによって、一時的に引っ掛けることができる。
【００７３】
これによって、背広等の嵩張る衣類を引っ掛ける際に、第１部品７０ａと第２部品７０ｂとの間を大きく広げることができるため、作業性が容易になる。
【産業上の利用可能性】
【００７４】
本発明に係る乾燥機能付き洗濯機は、上記実施例に示した構成に限定されず、上面開口の縦型回転ドラム式であるもののいずれにも適用できるものである。
【符号の説明】
【００７５】
１      洗濯乾燥機
２      筐体
３      洗濯水槽（乾燥槽）
４      外槽
５      内槽（ドラム）
６      モータ
８      内槽（ドラム）の上面開口
１０    外蓋
１２    内蓋
１４    攪拌翼
１５    送風給水ユニット
１６    送風ユニット
１７    給水ユニット
１８    オゾン発生装置
１９    ブロア
２０    乾燥用フィルタ
２１    ヒータ
２２    乾燥風路
２３    給水バルブ
２４    注水ユニット
４４    フランジ
５０    第１のハンガー
５１    ハンガーの両端部
５２    バランス用リング
５３    通風孔
５４Ａ  リブ
５４Ｂ  交差リブ
５５    フック部材
７０    第２のハンガー
７１ａ  第１部品
７１ｂ  第２部品
７３    通風孔
７４Ａ  リブ
７４Ｂ  交差リブ
７６    フック部材
【図３】
0005427513.tif 000002
【図１３】
0005427513.tif 000003
【図１４】
0005427513.tif 000004
【図１５】
0005427513.tif 000005
【図１６】
0005427513.tif 000006
【図１７】
0005427513.tif 000007
【図１８】
0005427513.tif 000008
【図１９】
0005427513.tif 000009
【図１】
0005427513.tif 000010
【図２】
0005427513.tif 000011
【図４】
0005427513.tif 000012
【図５】
0005427513.tif 000013
【図６】
0005427513.tif 000014
【図７】
0005427513.tif 000015
【図８】
0005427513.tif 000016
【図９】
0005427513.tif 000017
【図１０】
0005427513.tif 000018
【図１１】
0005427513.tif 000019
【図１２】
0005427513.tif 000020